【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
文書を印刷する前に、該文書の印刷状態をプレビュー表示する印刷プレビュー機能を有する情報処理システムであって、
文書に対して各種印刷機能を設定するためのユーザインタフェースと、
文書の各ページを表示領域に表示する際に、少なくとも設定された印刷機能を反映しないで原稿ページの内容を表示する原稿プレビューモードと、設定された印刷機能を反映して印刷ページの内容を表示する印刷プレビューモードの中から、表示すべきプレビューモードを選択する選択手段と、
前記選択手段により前記原稿プレビューモードが選択されている場合、設定された印刷機能を反映しないで前記文書の各原稿ページの内容のプレビュー表示を行い、或いは前記ユーザインタフェースにより両面印刷機能が設定され、かつ前記選択手段により前記印刷プレビューモードが選択されている場合、印刷すべき印刷ページの表と裏を区別可能に前記表示領域に同時にプレビュー表示を行う表示制御手段とを有することを特徴とする情報処理システム。
【請求項２】
前記表示制御手段は、表ページと裏ページのプレビュー表示を行う際に、表裏のペアが一目でわかるように、前記表ページと裏ページの間隔を狭くしてプレビュー表示を行うことを特徴とする請求項１に記載の情報処理システム。
【請求項３】
前記表示制御手段は、印刷すべき全ページのプレビュー表示を行う際に、表裏のペアが一目でわかるように、表ページと裏ページの表示位置を異ならせてプレビュー表示を行うことを特徴とする請求項１に記載の情報処理システム。
【請求項４】
表ページ及び裏ページの２ページ分を表示する所定の領域が前記表示領域に同一行として存在するか否かを判定する判定手段を更に有し、
前記表示制御手段は、前記判定手段により前記所定の領域が存在すると判定された場合、前記同一行上に表ページ及び裏ページを続けて２ページ分表示し、或いは前記判定手段により前記所定の領域が存在しないと判定された場合、前記表示領域の次の行に当該表ページ及び裏ページを２ページ分表示することを特徴とする請求項１乃至３の何れか一項に記載の情報処理システム。
【請求項５】
文書を印刷する前に、該文書の印刷状態をプレビュー表示する表示方法であって、
文書に対して各種印刷機能を設定する設定工程と、
文書の各ページを表示領域に表示する際に、少なくとも設定された印刷機能を反映しないで原稿ページの内容を表示する原稿プレビューモードと、設定された印刷機能を反映して印刷ページの内容を表示する印刷プレビューモードの中から、表示すべきプレビューモードを選択する選択工程と、
前記選択工程で前記原稿プレビューモードが選択されている場合、設定された印刷機能を反映しないで前記文書の各原稿ページの内容のプレビュー表示を行い、或いは前記設定工程で両面印刷機能が設定され、かつ前記選択工程で前記印刷プレビューモードが選択されている場合、印刷すべき印刷ページの表と裏を区別可能に前記表示領域に同時にプレビュー表示を行う表示制御工程とを有することを特徴とする表示方法。
【請求項６】
表ページと裏ページのプレビュー表示を行う際に、表裏のペアが一目でわかるように、前記表ページと裏ページの間隔を狭くしてプレビュー表示を行うことを特徴とする請求項５に記載の表示方法。
【請求項７】
印刷すべき全ページのプレビュー表示を行う際に、表裏のペアが一目でわかるように、表ページと裏ページの表示位置を異ならせてプレビュー表示を行うことを特徴とする請求項５に記載の表示方法。
【請求項８】
表ページ及び裏ページの２ページ分を表示する所定の領域が前記表示領域に同一行として存在するか否かを判定する判定工程を更に有し、
前記表示制御工程では、前記判定工程で前記所定の領域が存在すると判定された場合、前記同一行上に表ページ及び裏ページを続けて２ページ分表示し、或いは前記判定工程で前記所定の領域が存在しないと判定された場合、前記表示領域の次の行に当該表ページ及び裏ページを２ページ分表示することを特徴とする請求項５乃至７の何れか一項に記載の表示方法。
【請求項９】
文書を印刷する前に、該文書の印刷状態をプレビュー表示する印刷プレビュー機能を有するコンピュータとしての情報処理装置で実行可能な表示制御のプログラムであって、
前記コンピュータとしての情報処理装置に、
文書に対して各種印刷機能を設定する設定手順と、
文書の各ページを表示領域に表示する際に、少なくとも設定された印刷機能を反映しないで原稿ページの内容を表示する原稿プレビューモードと、設定された印刷機能を反映して印刷ページの内容を表示する印刷プレビューモードの中から、表示すべきプレビューモードを選択する選択手順と、
前記選択手順で前記原稿プレビューモードが選択されている場合、設定された印刷機能を反映しないで前記文書の各原稿ページの内容のプレビュー表示を行い、或いは前記設定手順で両面印刷機能が設定され、かつ前記選択手順で前記印刷プレビューモードが選択されている場合、印刷すべき印刷ページの表と裏を区別可能に前記表示領域に同時にプレビュー表示を行う表示制御手順とを実行させるためのプログラム。
【請求項１０】
表ページと裏ページのプレビュー表示を行う際に、表裏のペアが一目でわかるように、前記表ページと裏ページの間隔を狭くしてプレビュー表示を行うことを特徴とする請求項９に記載のプログラム。
【請求項１１】
印刷すべき全ページのプレビュー表示を行う際に、表裏のペアが一目でわかるように、表ページと裏ページの表示位置を異ならせてプレビュー表示を行うことを特徴とする請求項９に記載のプログラム。
【請求項１２】
前記コンピュータに、表ページ及び裏ページの２ページ分を表示する所定の領域が前記表示領域に同一行として存在するか否かを判定する判定手順を更に実行させ、
前記表示制御手順では、前記判定手順で前記所定の領域が存在すると判定された場合、前記同一行上に表ページ及び裏ページを続けて２ページ分表示し、或いは前記判定手順で前記所定の領域が存在しないと判定された場合、前記表示領域の次の行に当該表ページ及び裏ページを２ページ分表示することを特徴とする請求項９乃至１１の何れか一項に記載のプログラム。
【請求項１３】
請求項９乃至請求項１２の何れか一項に記載のプログラムを記録したコンピュータ読み取り可能な記録媒体。
【手続補正２】
【補正対象書類名】明細書
【補正対象項目名】００１３
【補正方法】変更
【補正の内容】
【００１３】
【課題を解決するための手段】
上記目的を達成するために、本発明は、文書を印刷する前に、該文書の印刷状態をプレビュー表示する印刷プレビュー機能を有する情報処理システムであって、文書に対して各種印刷機能を設定するためのユーザインタフェースと、文書の各ページを表示領域に表示する際に、少なくとも設定された印刷機能を反映しないで原稿ページの内容を表示する原稿プレビューモードと、設定された印刷機能を反映して印刷ページの内容を表示する印刷プレビューモードの中から、表示すべきプレビューモードを選択する選択手段と、前記選択手段により前記原稿プレビューモードが選択されている場合、設定された印刷機能を反映しないで前記文書の各原稿ページの内容のプレビュー表示を行い、或いは前記ユーザインタフェースにより両面印刷機能が設定され、かつ前記選択手段により前記印刷プレビューモードが選択されている場合、印刷すべき印刷ページの表と裏を区別可能に前記表示領域に同時にプレビュー表示を行う表示制御手段とを有することを特徴とする。
【手続補正３】
【補正対象書類名】明細書
【補正対象項目名】００１４
【補正方法】変更
【補正の内容】
【００１４】
また、上記目的を達成するために、本発明は、文書を印刷する前に、該文書の印刷状態をプレビュー表示する表示方法であって、文書に対して各種印刷機能を設定する設定工程と、文書の各ページを表示領域に表示する際に、少なくとも設定された印刷機能を反映しないで原稿ページの内容を表示する原稿プレビューモードと、設定された印刷機能を反映して印刷ページの内容を表示する印刷プレビューモードの中から、表示すべきプレビューモードを選択する選択工程と、前記選択工程で前記原稿プレビューモードが選択されている場合、設定された印刷機能を反映しないで前記文書の各原稿ページのプレビュー表示を行い、或いは前記設定工程で両面印刷機能が設定され、かつ前記選択工程で前記印刷プレビューモードが選択されている場合、印刷すべき印刷ページの表と裏を区別可能に前記表示領域に同時にプレビュー表示を行う表示制御工程とを有することを特徴とする。